(57)【要約】【課題】２枚の柔軟なシート状生地の周縁部を接合して形成した袋物の底辺部の幅を拡張できること。【解決手段】袋状本体部11を裏返し、袋状本体部11の底辺部の両端底辺角部16kを、底辺接合線15に対して略直角方向に挟持部材20によってそれぞれ挟持し、その後袋状本体部11を表側に反転することにより、底面部16が所定幅の広がりをもって成形される。底面部16に可撓性を有する補強板材を敷設してもよい。挟持部材20が、一端が枢着され、他端が係合・離脱可能な２本の棒状体からなり、これら棒状体には装飾が施され、挟持部材20が底辺角部16k を挟持していないとき、これら挟持部材20を袋状本体部11の開口部12縁部に挟持させて装飾体として使用できる。挟持部材20によって袋状本体部11の開口部12の縁部同士を挟持して開口部12の封止手段とすることができる。【選択図】図２
0003163369.tif 000002
【実用新案登録請求の範囲】
【請求項１】
２枚の柔軟なシート状素材からなる生地の周縁部を接合して上方に開口部(12)を設けた袋状本体部(11)と、開口部(12)周辺に取り付けた手提げ用又は肩掛け用等の帯状又は紐状部材(13, 13)と、前記袋状本体部(11)の接合底辺部の両端底辺角部を挟持するための少なくとも２つの挟持部材(20, 20)とから成り、
袋状本体部(11)を裏返し、袋状本体部(11)の底辺部の両端底辺角部(16k, 16k)を、底辺接合線(15)に対して略直角方向に前記挟持部材(20)によってそれぞれ挟持し、
この状態で袋状本体部(11)を表側に反転することにより、袋状本体部(11)の底面部(16)が所定幅の広がりをもって成形されることを特徴とする袋物。
【請求項２】
所定幅の広がりをもって成形された底面部(16)に、可撓性を有する補強板材をさらに敷設したことを特徴とする請求項１に記載の袋物。
【請求項３】
挟持部材(20)が、一端が枢着され、他端が係合・離脱可能な２本の棒状体からなり、これら棒状体には装飾が施され、この挟持部材(20)で底辺角部(16k)を挟持していないときには、これら挟持部材(20)を袋状本体部(11)の開口部(12)縁部に挟持させて装飾体として使用できることを特徴とする請求項１に記載の袋物。
【請求項４】
挟持部材(20)によって袋状本体部(11)の開口部(12)の縁部同士を挟持することにより、開口部(12)の封止手段とすることができることを特徴とする請求項１又は３に記載の袋物。
【考案の詳細な説明】
【技術分野】
【０００１】
本考案は、例えば帆布製の手提げ袋や肩掛け袋等の袋物に関するものであって、その形態を変更できるものに関する。
【背景技術】
【０００２】
従来の手提げ袋や肩掛け袋においては、様々な形態のものが存在している。
２枚の略矩形形状の柔軟なシート状生地の周縁部を接合して上端に開口部が設けられ、その袋部材の接合周縁部には襠部がないもの、或いはその袋部材の接合周縁部のそれぞれに襠部が形成され、その底面部にも一定の幅があるもの等が存在している。
更には、上記のような矩形形状のものでなく、底面部が略円形の袋部材からなるものや、その開口部が紐部材によって収束される巾着形状のものも存在する。
【考案の概要】
【考案が解決しようとする課題】
【０００３】
本考案においては、上記の略矩形形状の帆布等の柔軟なシート状生地２枚を重ね合わせてその周縁部を接合し、上端に開口部を有する手提げ又は肩掛け等の袋物に関するものであって、その形態を変更できるものを提供することをその課題としている。
そして、その形態を変更するに当たり、極めて簡単にそれを行うことができることをその課題としている。
更には、その形態を変更するための構成部材が他の機能をも発揮できること、変更された形態がより確実にその形態を維持することができることもその課題となる。
【課題を解決するための手段】
【０００４】
上記課題を解決するために、本考案の第１のものは、２枚の柔軟なシート状素材からなる生地の周縁部を接合して上方に開口部を設けた袋状本体部と、開口部周辺に取り付けた手提げ用又は肩掛け用等の帯状又は紐状部材と、前記袋状本体部の接合底辺部の両端底辺角部を挟持するための少なくとも２つの挟持部材とから成り、袋状本体部を裏返し、袋状本体部の底辺部の両端底辺角部を、底辺接合線に対して略直角方向に前記挟持部材によってそれぞれ挟持し、この状態で袋状本体部を表側に反転することにより、袋状本体部の底面部が所定幅の広がりをもって成形されることを特徴とする袋物である。
【０００５】
本考案の第２のものは、上記第１の考案において、所定幅の広がりをもって成形された底面部に、可撓性を有する補強板材をさらに敷設したことを特徴とする袋物である。
【０００６】
本考案の第３のものは、上記第１の考案において、挟持部材が、一端が枢着され、他端が係合・離脱可能な２本の棒状体からなり、これら棒状体には装飾が施され、この挟持部材で底辺角部を挟持していないときには、これら挟持部材を袋状本体部の開口部縁部に挟持させて装飾体として使用できることを特徴とする袋物である。
【０００７】
本考案の第４のものは、上記第１又は第３の考案において、挟持部材によって袋状本体部の開口部の縁部同士を挟持することにより、開口部の封止手段とすることができることを特徴とする袋物である。
【考案の効果】
【０００８】
本考案の第１のものにおいては、袋状本体部が、２枚の柔軟なシート状素材からなる生地の周縁部を接合して上方に開口部を設けたものからなり、この袋状本体部の接合底辺部の両端角部を挟持部材がそれぞれ挟持することができ、この袋状本体部を裏返した状態でこれら両端角部を、底辺接合線に対して略直角方向に挟持でき、その後にこの袋状本体部を表側に反転することにより、袋状本体部の底面部が所定幅の広がりをもって成形されることとなる。
【０００９】
従って、上記挟持部材を使用しないときには、底面部に厚みの無い扁平な、平らな袋状本体部となり、上記挟持部材によって底辺部の両端部を挟持させることにより、底面部に所定幅の広がりが形成されるため、内部に収納する物品の形態、形状に合致させてその形態を選択して変更することができるものとなる。
即ち、内部に物品を収納した際に、収納物品の形態に適合させて、袋物の外観の形態、形状が極めてスマートなものと成るのである。
【００１０】
本考案の第２のものにおいては、袋状本体部の底面部が拡張された際に、その底面部の保形性を目的として可撓性を有する補強板材を敷設したものである。
これにより、袋状本体部の底面部の形状が安定し、内部に収納する物品が小さく、その形状も異なるものが多数あったとしても、袋状本体部の外観形態、形状は適切に維持され、スマートなものとなる。
【００１１】
本考案の第３のものにおいては、挟持部材の形態を限定したものであり、即ち、その挟持部材は、一端が枢着され、他端が係合・離脱可能な２本の棒状体からなり、これら棒状体には装飾が施されているために、この挟持部材が底辺部角部を挟持していないときに、例えば、これら挟持部材を袋状本体部の開口部縁部に挟持させれば、装飾体として利用できることとなるのである。
換言すれば、本考案に係る挟持部材は、各種の色彩や模様等の装飾が施されたクリップのようなものであり、このクリップを袋状本体部の底面部を拡張する場合には、その底辺接合部の両端部に取り付け、底面部を拡張する必要がないときには、袋状本体部の開口部の縁部に取り付けて装飾体として用いることができるのである。
【００１２】
本考案の第４のものにおいては、上記第３の考案と同様に、前記挟持部材が袋状本体部の底辺角部を挟持していないときには、袋状本体部の開口部の封止手段として用いられることを限定したものであり、開口部の縁部同士を挟持することによって、これを実現することができる。
これにより、底面部が拡張されていないときには、この挟持部材により開口部の一部を封止することができることとなるのである。
【図面の簡単な説明】
【００１３】
【図１】本考案に係る袋物の一実施形態の全体斜視図であって、その変形前の状態を示したものである。
【図２】上記実施形態に係る袋物を裏返して、挟持部材でその底辺角部を挟持した状態を図示した斜視図である。
【図３】図２の状態の袋物を反転して、内側に位置する表側を表面側にした状態を図示する斜視図である。
【図４】上記実施形態において使用する挟持部材を図示する説明図であって、その（Ａ）が挟持部材を開放した状態を示し、その（Ｂ）が挟持部材を閉止して袋状本体部の底辺角部を挟持した状態を図示したものである。
【図５】変形前の上記実施形態に係る袋状本体部の開口部周縁部に挟持部材を各種の態様で取り付けた状態を図示する説明図である。
【考案を実施するための形態】
【００１４】
以下、添付の図面と共に本考案の実施形態について説明する
図１は、本考案に係る袋物の一実施形態の全体斜視図であって、その変形前の状態を示したものである。
本考案に係る袋物１０は、袋状本体部１１と、その上端開口部１２の略中央部内側に縫着された取手部１３、１３と、この図１には図示していない挟持部材とから構成される。
袋状本体部１１は、略矩形形状の帆布からなる２枚の生地１１ａ、１１ｂの左右両側縁と下辺縁部を縫着して袋状に縫製し、上端に開口部１２が形成されたものである。
【００１５】
帯状部材からなる取手部１３、１３は、それぞれ袋状本体部１１の開口部１２の略中央内側に縫着されている。
従って、この実施形態に係る袋状本体部１１は、その両側に襠部は形成されておらず、またその底辺部にも幅はなく、その全体が薄い扁平な形状を呈するものである。
【００１６】
図２は、上記実施形態に係る袋物を裏返して、挟持部材でその底辺角部を挟持した状態を図示した斜視図である。
本考案においては、袋物１０の底面部の幅を拡張することができる。
その手順は前図の図１乃至次図の図３と共に説明すると、以下の通りとなる。
先ず上記図１に図示した状態の袋物１０を裏返しにする。図２はその裏返しの状態である。
次に、挟持部材２０によって、袋状本体部１１の底辺接合線１５と略直角の方向に底辺角部１６ｋを挟持するのである。
これを底辺角部１６ｋの両側で行う。この挟持部材２０によって両側の底辺角部１６ｋ、１６ｋを挟持した状態が図２である。
【００１７】
図３は、図２の状態の袋物１０を反転して、内側に位置する表側を表面側にした状態を図示する斜視図である。
この図３から見て取れるように、本考案に係る袋物１０は、その底面部１６が所定の幅をもって、即ち挟持部材２０の長さ分の幅をもった状態に成形されるのである。
これにより、袋物１０内部に所定の厚みの物品を収納しても、袋状本体部１１の底辺角部１６ｋ、１６ｋが外部に現れることがなく、スマートな外観を呈することとなるのである。
【００１８】
この図３に図示した状態の本考案に係る袋物１０の底面部１６に、この底面部１６の平面視形状と略同一の可撓性を有する板材を補強板材として敷くことも可能である。
この補強板材は、可撓性を有する合成樹脂製の薄い板材を使用することができ、また袋物１０が図１の状態のときには、袋物１０の内部に設けた収納ポケットに収納しておけば、邪魔になることがない。
【００１９】
図４は、本考案に係る上記実施形態において使用する挟持部材を図示する説明図であって、その（Ａ）が挟持部材を開放した状態を示し、その（Ｂ）が挟持部材を閉止して袋状本体部の底辺角部を挟持した状態を図示したものである。
挟持部材２０は、２本の棒状体２０ａ、２０ｂとからなり、その一方端部で枢着され、その他方端で相互に係止、離脱可能に形成された合成樹脂製のものから形成されている。
いわゆる２本の棒状体の間にシート状体のものを挟み付けて保持できるクリップ状のものである。
【００２０】
この挟持部材２０によって、裏返しされた袋状本体部の底面部１６の底辺角部１６ｋを、その底辺接合線１５と略直角方向に挟持することができるものである。
その後、袋状本体部を反転させて、袋状本体部の表側を表面側に戻すことにより図３の状態の袋物となるのである。
【００２１】
図５は、変形前の上記実施形態に係る袋状本体部の開口部周縁部に挟持部材を各種の態様で取り付けた状態を図示する説明図である。
本考案に係る挟持部材２０は、上述した通り２つの棒状体からなり、それらの一方端部を枢着し、他方端部を相互に係止し、離脱することができるような構成を有するため、これを袋状本体部１１の上方開口部１２の周縁部に取り付けることができる。
【００２２】
そして、本考案に係る挟持部材２０においては、明確に図示はしていないが、それを構成する２本の棒状体に各種の色や模様を施すことができ、このような色や模様が付加された挟持部材２０を袋物１０の装飾体として、或いは自分の所持品であることの目印として使用することができるのである。
更に、この挟持部材２０は、袋状本体部１１の開口部１２の縁部同士を共に挟持することにより、開口部１２の封止手段として用いることも可能となるのである。
【００２３】
図５では、開口部１２の左右の両端部の挟持部材２０ｅ、２０ｆが封止手段として用いられている状態を示し、その中央部に取り付けた挟持部材２０ｇ、２０ｈが単に装飾体、或いは目印として用いられている状態を示したものである。
図５では、挟持部材２０を４つ図示しているが、これは説明の都合であって、通常は挟持部材は２個で１組となっている。
しかし、本考案に係る袋物を市場で販売するに当たっては、この挟持部材を６個セットとして、異なる色合い、模様のものを組み合わせて販売することもできるのである。
【００２４】
以上、本考案の一実施形態について説明したが、本考案においては以下の通り種々設計変更することができる。
袋状本体部のサイズ、形状、材質等は、必要に応じて種々設計変更することができる。
材質は、上記実施形態では帆布を使用したが、柔軟なシート状素材であれば、どのような素材であってもよく、その表面に施す色合い、模様も全く自由に設定することができる。
【００２５】
上記実施形態では、袋状本体部の上方開口部に取り付けた手提げ用取手は、肩掛け用のものとして実施することができ、またその形態も帯状のものでも紐状のものでも自由に選択することができる。
勿論、長さを長短調整できるベルト部材から構成してもよい。
この帯状部材又は紐状部材は、袋状本体部の開口部の内側或いは外側の何れの側にも取り付けることができる。
【００２６】
挟持部材の構成、材質、長さ等々も全く自由に設計することができる。
挟持部材は、合成樹脂製でなく、金属製であってもよい。
挟持部材の構成も２本の棒状体でなく、１本の合成樹脂又は金属製の棒状体或いは板状体のものを２つに折り曲げて、その一方の開口端から袋状本体部の底面角部を挿入するようにして挟持できるものであってもよい。
挟持部材を形成する素材が一定の形を維持でき、弾力性を有するものであれば、クリップ材としての機能を果たすからである。
【００２７】
本考案においては、また挟持部材も２個で１組となっているが、長さの異なるものを複数組セットして販売することも可能である。
これにより、底面部を拡張する幅を、その挟持部材を適宜選択して、異なる拡張幅とすることも可能となる。
更には、挟持部材を構成する２本の棒状体が、その長さを変更できるものとすることにより、１組の挟持部材によって、底面部の拡張幅を異なるものとすることも可能である。
【００２８】
上記実施形態では、挟持部材に色や模様を施しているが、この挟持部材を構成する２本の棒状体を単なる棒状体とせずに、この棒状体から側方方向に延長する装飾体を設けることもできる。
この場合、袋状本体部の底面部の拡張のために挟持部材を使用したとしても、その装飾体は、底面部に沿うように配置されるため、何ら邪魔となることもなく、それよりも底面部の補強の役目をも担うこととなり、より都合のよいものとなる。
勿論、上記棒状体は、適宜形状の板状体によって構成することも当然可能である。
以上、本考案は、簡易な構成ではあるが、極めて多くの効果を発揮する底面部の幅を拡張できる袋物を提供することができた。
【符号の説明】
【００２９】
１０  袋物
１１  袋状本体部
１２  開口部
１３  取手部
１５  底辺接合線
１６  底面部
１６ｋ  底辺角部
２０  挟持部材
【図１】
0003163369.tif 000003
【図２】
0003163369.tif 000004
【図３】
0003163369.tif 000005
【図４】
0003163369.tif 000006
【図５】
0003163369.tif 000007